(57)【要約】【課題】  糸くず回収手段に糸くずが溜まっていることを、洗濯運転の前に予め報知し糸くず回収手段の掃除を促すことで、排水異常報知により途中で停止することなく洗濯運転を行うことができ、使用者の利便性が高い洗濯機を提供する。【解決手段】  排水に要した時間が、所定の条件を満たした場合、洗濯運転前に前記糸くず回収手段に糸くずが溜まっていることを報知することを特徴とする。【選択図】  図１
2018187196.tif 000002
【特許請求の範囲】
【請求項１】
外槽と、前記外槽内に回転自在に配置され洗濯物を収容する洗濯兼脱水槽と、前記洗濯兼脱水槽を駆動する電動機を含む駆動手段と、前記外槽を支持し外装を構成する筐体と、前記外槽内の水位を検知する手段と、前記外槽内に水を給水する給水手段と、前記外槽内の水を排水する排水手段と、前記外槽の底部からの排水経路の途中に設けられた着脱可能な糸くず回収手段と、を備え、
運転毎の排水に要した時間を記憶する記憶手段をさらに備え、
前記記憶手段に記憶した排水に要した時間が、所定の条件を満たした場合、洗濯運転前に前記糸くず回収手段に糸くずが溜まっていることを報知することを特徴とする洗濯機。
【発明の詳細な説明】
【技術分野】
【０００１】
本発明は洗濯機の制御に関する。
【背景技術】
【０００２】
洗濯機は、洗濯運転により排出された糸くずなどが排水経路に詰まり、規定時間内に排水されない場合に、洗濯運転を停止し排水異常を報知することで、使用者が排水経路に詰まった糸くずを除去するように促している。特許文献１では、水量設定に応じた排水時間の平均値から、各家庭環境に合った排水異常時間を算出することで、適切なタイミングで排水異常を報知し、糸くず回収手段の掃除を促す方法が採られている。
【先行技術文献】
【特許文献】
【０００３】
【特許文献１】特開２００９−２７３５４４号公報
【発明の概要】
【発明が解決しようとする課題】
【０００４】
しかしながら、特許文献１は適切な排水異常時間を設定しても、排水異常時間を超えた場合は洗濯運転中に排水異常を報知し、洗濯運転は排水の途中で停止することになる。
その際、使用者は洗濯機の異常を解除し、洗濯運転を再開させる操作が必要となる。
【０００５】
そこで本発明は、上記課題を鑑みて、排水異常を報知する前に、運転毎の排水に要した時間の経過から、電源投入時などの洗濯運転前に排水経路の糸くずの除去を促すように予め報知する洗濯機を提供することを目的とする。
【課題を解決するための手段】
【０００６】
前記目的を達成するため、本発明に係る洗濯機は、  外槽と、前記外槽内に回転自在に配置され洗濯物を収容する洗濯兼脱水槽と、前記洗濯兼脱水槽を駆動する電動機を含む駆動手段と、前記外槽を支持し外装を構成する筐体と、前記外槽内の水位を検知する手段と、前記外槽内に水を給水する給水手段と、前記外槽内の水を排水する排水手段と、前記外槽の底部からの排水経路の途中に設けられた着脱可能な糸くず回収手段と、を備え、運転毎の排水に要した時間を記憶する記憶手段をさらに備え、前記記憶手段に記憶した排水に要した時間が、所定の条件を満たした場合、洗濯運転前に前記糸くず回収手段に糸くずが溜まっていることを報知することを特徴とする洗濯機。
【発明の効果】
【０００７】
本発明によれば、糸くず回収手段に糸くずが溜まっていることを、洗濯運転の前に予め報知し糸くず回収手段の掃除を促すことで、排水異常報知により途中で停止することなく洗濯運転を行うことができ、使用者の利便性が高い洗濯機を実現できる。
【図面の簡単な説明】
【０００８】
【図１】本発明の一実施例における制御内容を示すフローチャートである。
【図２】本発明の一実施例の形態を示す操作パネル図である。
【図３】本発明の一実施例の形態を示すブロック図である。
【図４】本発明の一実施例の形態を示す洗濯機の外観斜視図である。
【図５】本発明の一実施例の形態を示す洗濯機の背面カバーを外して内部構造を示す背面図である。
【図６】本発明の一実施例における排水回数と排水時間の関係を示したグラフである。
【発明を実施するための形態】
【０００９】
以下、本発明の一実施例を図面に基づいて説明する。図１は本発明の一実施例における制御内容を示すフローチャート、図２は本発明の一実施例の形態を示す操作パネル図、図３は本発明の一実施例の形態を示すブロック図、図４は本発明の一実施例の形態を示す洗濯機の外観斜視図、図５は本発明の一実施例の形態を示す洗濯機の背面カバーを外して内部構造を示す背面図、図６は本発明の一実施例における排水回数と排水時間の関係を示したグラフである。
【００１０】
図３と図４と図５に示す本実施例の洗濯機は、不揮発性記憶手段１４を備えたマイクロコンピュータ１３と駆動回路１９と給水弁７,排水弁８などの出力装置６〜１０,２１,２２，２４，２５と入力装置１５〜１８,２０,２３と電源４とリレー５により構成される。操作パネル１の電源「入」スイッチ１２１が押されると、コンセントから供給される電源が整流回路により変圧、整流され、マイクロコンピュータ１３が通電しリレー５が入る。マイクロコンピュータ１３には、蓋ロック検知１５、水位センサ１６、振動センサ１７、回転センサ１８、操作スイッチ２０、モータ電流センサ２３等からの入力信号が与えられ、予め定められたプログラムに従い、モータ６，給水弁７、排水弁８、循環ポンプ１０、ヒータ９、送風ファン２５等を制御する。駆動回路１９はマイクロコンピュータ１３からの指示に従って導通状態を制御して従属する負荷への給電制御を行い、洗い、すすぎ、脱水の各工程を実行する。各工程の排水時は、排水弁８を制御して、排水経路の途中にある糸くず回収手段１１に洗濯水が流れることで、洗濯時に発生した糸くずの回収を行う。このとき、マイクロコンピュータ１３は不揮発性記憶手段１４に、排水に要した時間を記憶させる。洗濯が終了すると、マイクロコンピュータ１３からの信号でリレー５を切り、電源の供給を遮断する。
【００１１】
図２に示す操作パネルは、洗い時間、すすぎ回数、脱水時間、乾燥時間を設定するキー１０７〜１１０と、洗濯コース、洗乾コース、乾燥コースを設定するキー１０３〜１０５と、スタート・一時停止キー１０６と、洗い時間、すすぎ回数、脱水時間、乾燥時間を表示する７セグメントＬＥＤ１１１〜１１４と、工程の残時間を表示する７セグメントＬＥＤ１１５と、コースを表示するＬＥＤ１１６から構成される。
【００１２】
実施例の洗濯機において、運転コースは最大１２コース（１１６）、洗い時間は０〜９９分（１１１）、すすぎ回数は０〜９回（１１２）、脱水時間は０〜９分（１１３）、乾燥時間は０〜９９分（１１４）である。
【００１３】
図６に示すグラフは、Ｔ１が排水異常報知用の排水時間のしきい値を示し、Ｔ２が糸くず回収手段１１の掃除判定用の排水時間のしきい値を示している。Ｔ２はＴ１より短い時間とする。洗濯運転を行う（排水回数が増える）毎に、糸くずが排水経路に溜まっていくことにより、排水時間が徐々に延びることになる。
【００１４】
実施例の一連動作を図１のフローチャートに示す。
【００１５】
まず、電源投入後、洗濯機のイニシャル時の設定コースをＬＥＤと７セグメントＬＥＤで表示(S101)する。不揮発性記憶手段１４に記憶した運転毎の排水時間から糸くず回収手段の掃除が必要であると判定した場合(S102)は、糸くず回収手段の掃除を促す報知(S103)を行う。糸くず回収手段の掃除を促す報知の有無によらず、洗濯コースと洗い時間、すすぎ回数、脱水時間、乾燥時間、風呂水利用の有無等の運転内容を設定(S104)し、スタート・一時停止キーを押下(S105)することで、設定された運転内容を実行する。
【００１６】
糸くず回収手段の掃除が必要であると判定する条件は、例えば、図６のグラフに示す通り、直近３回(３４回、３５回、３６回)の排水時間が、糸くず回収手段の掃除判定用のしきい値(Ｔ２)を超える場合などである。糸くず回収手段の掃除を報知する場合は、例えば、工程の残時間を表示する７セグメントＬＥＤに排水異常と同じお知らせコードを点滅表示し、警告音を鳴らして行う。
【００１７】
洗い工程(S106)を実施した後の排水工程(S107)では、排水に要した時間を不揮発性記憶手段１４に記憶(S108)する。すすぎ工程(S109)を実施した後も同様に、排水工程(S110)で排水に要した時間を不揮発性記憶手段１４に記憶(S111)する。
【００１８】
このように構成した洗濯機は、排水を行う毎に排水に要した時間を記憶し、電源投入時などの洗濯運転前に、糸くず回収手段に糸くずが溜まっていることを予め報知することで、排水異常報知により排水の途中で停止することなく洗濯運転を行うことが可能となる。
【００１９】
上記実施例は、ドラム式洗濯機を例に説明したが、縦型式洗濯機に関しても同様に適用できる。
【符号の説明】
【００２０】
1：操作パネル
4：電源  5：リレー  6：モータ  7：給水弁  8：排水弁  9：ヒータ  
10：循環ポンプ  11：糸くず回収手段  13：マイクロコンピュータ  
14：不揮発性記憶手段  15：蓋ロック検知  16：水位センサ  17：振動センサ 
18：回転センサ  20：操作スイッチ  21：LED表示回路  22：ブザー回路  
23：モータ電流センサ  24：蓋ロック  25：送風ファン  
103：洗濯コースキー  104：洗乾コースキー  105：乾燥コースキー  
106：スタート・一時停止キー  
107：洗いキー  108：すすぎキー  109：脱水キー  110：乾燥キー  
111：洗い時間表示  112：すすぎ回数表示  113：脱水時間表示  114：乾燥時間表示  
115：残時間表示  116：コースＬＥＤ表示  
121：入キー  122：切キー  
【図１】
2018187196.tif 000003
【図２】
2018187196.tif 000004
【図３】
2018187196.tif 000005
【図４】
2018187196.tif 000006
【図５】
2018187196.tif 000007
【図６】
2018187196.tif 000008